(57)【要約】【課題】シートの表面に傷がつくことがなく、短い間隔でのシート投入にも対応できるシート集積装置の提供。【解決手段】集積台２の上方において、投入された平版印刷原版Ｐの投入方向ａに沿った１対の側縁部を水平に受ける少なくとも１対のシート保持具６０と、前記平版印刷原版Ｐを受けたシート保持具６０を集積台２に向かって下方に移動させる保持具送りコンベア６２とを有するシート送り装置６を備えるシート集積装置。【選択図】図１
2008037598.tif 000002
【特許請求の範囲】
【請求項１】
投入手段によって順次投入されるシートを所定の集積位置に層状に積層するシート集積装置であって、
前記集積位置の上方において、投入されたシートの投入方向に沿った１対の側縁部を水平に受ける少なくとも１対のシート保持具と、
前記シートを受けたシート保持具を前記集積位置に向かって下方に移動させるシート保持具送り手段と
を有するシート送り装置を備えてなることを特徴とするシート集積装置。
【請求項２】
前記シート送り装置において、前記シート保持具は、投入されたシートが前記集積位置に向かって下方に移送されるシート送り経路上に沿って複数対設けられてなる請求項１に記載のシート集積装置。
【請求項３】
前記シート保持具送り装置は、前記シート保持具を間歇的に送る請求項２に記載のシート集積装置。
【請求項４】
投入されたシートが前記集積位置に向かって下方に移送されるシート送り経路上に沿って複数対設けられ、前記シート送り経路において前記シートの両側縁を受ける第１の位置と、前記シート送り経路から遠ざかった第２の位置との何れかを取るシート保持具と、
シート保持具を前記第１の位置と前記第２の位置との間で移動させるシート保持具駆動手段と
を有するシート送り装置を備え、
前記シート送り装置においては、前記シート保持具は、投入されたシートを受けるときは前記第１の位置に保持されてなるとともに、
前記シート保持具駆動手段は、ある１対のシート保持具がシートを受けると、前記１対のシート保持具を第１の位置から第２の位置に移動させてシートを１段下のシート保持具に落下させることを特徴とするシート集積装置。
【請求項５】
前記シート保持具駆動手段は、シートを受けた１対のシート保持具を同時に第１の位置から第２の位置に移動させる請求項４に記載のシート集積装置。
【請求項６】
前記シート保持具は、前記シート送り経路の外側に位置し、前記シート投入方向に沿った回転軸の周りに回動可能に設けられ、前記第１の位置をとるときは水平に保持され、前記第２の位置をとるときは前記回転軸の周りに下方に向かって回動する請求項４または５に記載のシート集積装置。
【請求項７】
前記シート保持具は、前記シート送り経路に対して進退可能に形成され、前記第１の位置では前記シート送り経路に向かって突出し、前記第２の位置では前記シート送り経路から退避する請求項４または５に記載のシート集積装置。
【請求項８】
シートの投入方向に沿って前記シート送り装置の下流側に位置し、投入されたシートの前記投入方向に沿って下流側の側縁を受けるストッパを備える請求項１〜７の何れか１項に記載のシート集積装置。
【発明の詳細な説明】
【技術分野】
【０００１】
本発明は、シート集積装置に関し、特に、先に投入され、集積されたシートの表面を擦ることなくシートを集積できるシート集積装置に関する。
【背景技術】
【０００２】
搬送手段から順次投入される平版印刷版を所定の集積位置に位置決めし、層状に集積する集積装置として、前記平版印刷版が集積される集積面と、前記集積面上における平版印刷版の外周側に設けられ、該平版印刷版の面方向に沿った移動を制限して前記集積位置に位置決めする枠部材と、前記枠部材と前記集積面における平版印刷版との間に介在し、該平版印刷版からの荷重により弾性変形するクッション材と、前記クッション材と前記集積面上における平版印刷版との間に介在し、該平版印刷版の当接時に前記クッション材とともに変形する金属製保護シートとを有するものが提案された（特許文献１）。
【０００３】
前記集積装置は、前記枠部材として、ベルトコンベアなどの搬送手段から投入された平版印刷版を受け止めるバックストッパと、前記集積面を挟んで前記バックストッパに相対するように設けられたフロントストッパと、集積面の両側縁に沿って設けられた１対のサイドストッパとを備えている。
【０００４】
前記フロントストッパには、ベルトコンベアから投入される平版印刷版に向ってエアを吹きつける水平なスリット状のノズル孔が設けられている。
【０００５】
したがって、前記ノズル孔から吹き出すエアの強さおよび方向を制御することにより、投入された平版印刷版の浮上量を制御し、集積面に集積された平版印刷版と、前記投入された平版印刷版との接触を軽減することは可能であると考えられる。
【０００６】
平版印刷版のようなシートを集積する集積装置としては、また、連続的に搬送されるシートを集積する直前に一時的に保持し、また保持を解除する手段を具備する集積装置も提案された（特許文献２）。
【特許文献１】特開２００２−０４６９２４号公報
【特許文献２】特開平４−３３３４６１号公報
【発明の開示】
【発明が解決しようとする課題】
【０００７】
しかしながら、特許文献１に記載された集積装置においては、新たに投入されたシートのエッジ部がエアでばたついて、すでに投入されたシートの表面を傷つける可能性がある。また、シートの投入速度が高くなると、バックストッパとの衝突でのシートのばたつきが大きくなり、既に集積されたシートの表面を傷つける可能性がある。
【０００８】
また、新たに投入されたシートは、中央部が上方に膨らんだ状態で落下するので、角で、すでに投入されたシートの端を傷つける可能性がある。
【０００９】
特許文献２に記載の集積装置においては、エアを用いずにシートを一旦受けた後に落下させて集積しているから、このような問題が生じる可能性はないと考えられるが、シートを一旦保持するための保持部材の出し入れに時間が掛かるので、シートの投入間隔が短い場合に対応できないという問題がある。
【００１０】
本発明は、上記問題を解決すべく成されたもので、シートが高速で投入された場合にも、新たに投入されたシートによって既に投入されたシートの表面に傷がつくことがなく、また短い間隔でのシート投入にも対応できるシート集積装置の提供を目的とする。
【課題を解決するための手段】
【００１１】
請求項１に記載の発明は、投入手段によって順次投入されるシートを所定の集積位置に層状に積層するシート集積装置であって、前記集積位置の上方において、投入されたシートの投入方向に沿った１対の側縁部を水平に受ける少なくとも１対のシート保持具と、前記シートを受けたシート保持具を前記集積位置に向かって下方に移動させるシート保持具送り手段とを有するシート送り装置を備えてなることを特徴とするシート集積装置に関する。
【００１２】
前記シート集積装置においては、前記投入手段で投入されたシートは、前記シート送り装置においてシート保持具で水平に受けられる。シートを受けたシート保持具は、シート保持具送り手段によって集積位置に向かって下方に移送される。
【００１３】
したがって、シートは、少なくともシート保持具で保持されたまま、集積位置まで移送されるから、投入速度が高い場合にもばたつくことが無い。また、シートがばたついていても移送中にばたつきが収束する。更に、シートの両側縁部が水平に保持されたまま下降するから、シートは、水平を保つか、または重みで中央部が下降に撓む。したがって、シートが集積位置に向かって下降中に中央部が上方に膨らんだ形態に変形することがないから、新たに投入されたシートによって既に集積済みのシートが傷つくことがない。
【００１４】
請求項２に記載の発明は、前記シート送り装置において、前記シート保持具が投入されたシートが前記集積位置に向かって下方に移送されるシート送り経路上に沿って複数対設けられてなる請求項１に記載のシート集積装置に関する。
【００１５】
前記シート集積装置においては、一のシート保持具がシートを受けた後、前記１のシート保持具の上方に位置する次のシート保持具が下降して次のシートを受けるから、前記一のシート保持具が最初の位置に戻ってくるのを待たずに次のシートを投入できる。したがって、より短い間隔でのシートの投入にも対応できる。
【００１６】
請求項３に記載の発明は、前記シート保持具送り装置がシート保持具を間歇的に送る請求項２に記載のシート集積装置に関する。
【００１７】
前記シート集積装置においては、シートは、静止した状態のシート保持具に向かって投入されるから、より安定した状態で受け止められる。
【００１８】
請求項４に記載の発明は、前記シート送り経路上に沿って複数対設けられ、前記シート送り経路において前記シートの両側縁を受ける第１の位置と、前記シート送り経路から遠ざかった第２の位置との何れかを取るシート保持具と、前記第１の位置と前記第２の位置との間でシート保持具を移動するシート保持具駆動手段とを有するシート送り装置を備え、前記シート送り装置においては、前記シート保持具は、投入されたシートを受けるときは前記第１の位置に保持されてなるとともに、前記シート保持具駆動手段は、ある１対のシート保持具がシートを受けると、前記１対のシート保持具を第１の位置から第２の位置に移動させてシートを１段下のシート保持具に落下させることを特徴とするシート集積装置に関する。
【００１９】
前記シート集積装置においては、ある１対のシート保持具がシートを受けると、前記シート保持具は、前記シート保持具駆動手段によって第１の位置から第２の位置に移動する。これにより、前記シート保持具で受け止められたシートは、１段下方に位置するシート保持具に向かって落下する。一段下方のシート保持具は、シートを受け止めると、前記シート保持具駆動手段によって第１の位置から第２の位置に移動するから、前記シートは更に１段下方のシート保持具に落下する。このように、前記シート保持具が上から下に向かって順次第１の位置から第２の位置に移動することによってシートは集積位置に向かって下方に送られる。
【００２０】
このように、前記シート集積装置においては、シートは、各段のシート保持具で一旦受け止められてから１段下方のシート保持具に向かって落下するから、シートの落下速度を抑えることができる。
【００２１】
また、前記シート集積装置においては、シート保持具を上方から下方に向かって移動させる機構が不要であるから請求項１のものに比較して更にコンパクトに構成できる。
【００２２】
請求項５に記載の発明は、前記シート保持具駆動手段が、シートを受けた１対のシート保持具を同時に第１の位置から第２の位置に移動させる請求項４に記載のシート集積装置に関する。
【００２３】
前記シート集積装置においては、投入されたシートは水平状態を維持したまま下方に送られるから、集積位置に集積済みのシートを傷付けることが特に効果的に防止される。
【００２４】
請求項６に記載の発明は、前記シート保持具が、前記シート送り経路の外側に位置し、前記シート投入方向に沿った回転軸の周りに回動可能に設けられ、前記第１の位置をとるときは水平に保持され、前記第２の位置をとるときは前記回転軸の周りに下方に向かって回動する請求項４または５に記載のシート集積装置に関する。
【００２５】
前記シート集積装置においては、シート保持具は、前記回転軸の周りに下方に向かって回動することにより、第１の位置から第２の位置へ移行するから、第１の位置から第２の位置への移行には重力を利用できる。したがって、シート保持具周辺の機構を簡略化できる。但し、動作が高速でないときは自重による動作で充分であるが、高速での動作が必要なときはアクチュエータを用いることが好ましい。
【００２６】
請求項７に記載の発明は、前記シート保持具が、前記シート送り経路に対して進退可能に形成され、前記第１の位置では前記シート送り経路に向かって突出し、前記第２の位置では前記シート送り経路から退避する請求項４または５に記載のシート集積装置に関する。
【００２７】
上下方向に配設された複数対のシート保持具と、これらのシート保持具を駆動するシート保持具駆動手段とからなるシート送り装置においては、投入されたシートをある１対のシート保持具が受けると、前記シート保持具を第１の位置から第２の位置に移行させるが、前記シート保持具からシートが落下した後、次にシートが投入されるまでに前記シート保持具を第２の位置から第１の位置に戻し、新たに投入されたシートを受ける。したがって、シート保持具を第１の位置から第２の位置に移行させる場合だけでなく、第２の位置から第１の位置に戻す場合もシート保持具の位置の変更を迅速に行う必要がある。
【００２８】
前記シート集積装置においては、シート保持具をシート送り経路に向かって前進させることにより、第１の位置から第２の位置に移行させ、後退させることにより、第２の位置から第１の位置に戻しているから、シート保持具の位置の変更を迅速に行える。
【００２９】
請求項９に記載の発明は、シートの投入方向に沿って前記シート送り装置の下流側に位置し、投入されたシートの前記投入方向に沿って下流側の側縁を受けるストッパを備える請求項１〜８の何れか１項に記載のシート集積装置に関する。
【００３０】
前記シート集積装置においては、シートの投入速度が高い場合にも、投入されたシートは前記ストッパで受け止められ、前記シート保持具に確実に保持される。したがって、前記シート集積装置は、ライン速度が速く、投入速度の高いシート製造ラインにおいてシートを集積するのに好適に使用される。
【発明の効果】
【００３１】
以上説明したように本発明によれば、シートが高速で投入された場合にも、新たに投入されたシートによって既に投入されたシートの表面に傷がつくことがなく、また短い間隔でのシート投入にも対応できるシート集積装置が提供される。
【発明を実施するための最良の形態】
【００３２】
１．実施形態１
【００３３】
実施形態１に係る集積装置１００は、本発明におけるシートの一例である平版印刷原版を集積するものであって、本発明のシート集積装置の一例であって、図１に示すように、平版印刷原版Ｐを投入する投入手段である搬送コンベア４と、搬送コンベア４で投入された平版印刷原版Ｐを集積する昇降可能な集積台２と、集積台２の直上に位置し、搬送コンベア４で投入された平版印刷原版Ｐを集積台２に向かって下方に送るシート送り装置６と、シート送り装置６を挟んで搬送コンベア４に相対するように設けられたストッパ８とを備える。
【００３４】
シート送り装置６は、平版印刷原版Ｐが下方に向かって送られるシート送り経路を挟むように１対設けられ、集積しようとする平版印刷原版Ｐのサイズに応じて間隔を変更できるように、投入方向ａに対して直交する方向に沿って設けられたリニアガイド（図示せず。）によって支持されている。シート送り装置６の間隔の変更は手動でもよく、自動でもよい。
【００３５】
シート送り装置６は、夫々、搬送コンベア４で投入された平版印刷原版Ｐを下方から受けるシート保持具６０と、垂直方向に沿って設けられ、平版印刷原版Ｐを受けたシート保持具６０を矢印ｂに示すように下方に移動させる保持具送りコンベア６２とを備える。保持具送りコンベア６２は、本発明におけるシート保持具送り手段に相当する。
【００３６】
保持具送りコンベア６２は、シート保持具６０が一定の間隔で固定されたコンベアベルト６２Ａと、コンベアベルト６２Ａを緊張した状態で支持すると同時に、矢印ｂに示すように内回りに、言い換えれば図１および図２において向かって左側に位置するシート送り装置６においては時計回り方向に、向かって右側に位置するシート送り装置６においては反時計回り方向に回転させる１対の駆動ローラ６２Ｂとを有する。
【００３７】
シート保持具６０は、図１および図２に示すようにコンベアベルト６２Ａに対して直角に固定されている。したがって、保持具送りコンベア６２において、上端に位置する駆動ローラ６２Ｂと下端に位置する駆動ローラ６２Ｂとの間の部分ではシート保持具６０は水平な状態にある。また、コンベアベルト６２Ａが矢印ｂの方向に回転することにより、互いに相対する位置にある、換言すれば内側に位置するシート保持具は矢印ｃに示すように集積台２に向かって下降する。
【００３８】
なお、シート送り装置６は、図１に示すように、最上部に位置するシート保持具６０Ａの高さが搬送コンベア４の出口側の高さよりも低くなるように高さが設定されている。
【００３９】
ストッパ８は、搬送コンベア４に相対するように垂直面に沿って設けられたパッド部８０と、パッド部８０の搬送コンベア４に相対する側とは反対側の面に設けられた緩衝バネ８２およびダンパ８４とを有する。受け止めた平版印刷原版Ｐが損傷しないように、パッド部８０の搬送コンベア４に相対する側の面にはパッドが設けられている。
【００４０】
集積台２の上面には、平版印刷原版Ｐが積層される板状の集積冶具２０が載置され、集積冶具２０を取り囲むようにガイド板１０が４枚立設されている。夫々のガイド板１０の上端は外側に屈曲している。集積台２は、リフタ１２によって矢印ｄで示すように昇降可能に支持されている。
【００４１】
以下、集積装置１００の作用について説明する。
【００４２】
搬送コンベア４によって投入された平版印刷原版Ｐは、図１において矢印ａに示すようにシート送り装置６上を飛び越え、ストッパ８によって受け止められる。ストッパ８によって受け止められた平版印刷原版Ｐは、図１および図２に示すように、１対のシート送り装置６のシート保持具６０のうち、最上部に位置するシート保持具６０Ａによって矢印ａに対して平行な両側縁部を下方から保持される。最上部のシート保持具６０によって平版印刷原版Ｐが保持されたら、コンベアベルト６２Ａが矢印ｂの方向に回転し、コンベアベルト６２Ａの回転方向ｂに対してシート保持具６０Ａの上流側に隣接するシート保持具６０Ｂがシート保持具６０Ａの位置に移動し、この位置で停止する。これにより、シート保持具６０Ａで保持されている平版印刷原版Ｐは、シート保持具６０の間隔分だけ矢印ｃの方向に下降するとともに、次に投入する平版印刷原版Ｐがシート保持具６０Ｂによって保持される。このように、コンベアベルト６２Ａが間歇的に回転することにより、平版印刷原版Ｐは、集積台２に向かって矢印ｃの方向に間歇的に下降する。そして、平版印刷原版Ｐを保持していたシート保持具６０Ａは、シート送り装置６の下端において水平から垂直方向に方向を変えるから、平版印刷原版Ｐは１対のシート保持具６０Ａの間から落下し、ガイド板１０によって集積冶具２０上に案内される。
【００４３】
集積装置１００においては、搬送コンベア４で投入された平版印刷版は、シート送り装置６によって集積台２に向かって間歇的に送られる。しかも、シート送り装置６においては、シート保持具６０によって両側縁部を下方から保持されるから、平版印刷原版Ｐは水平または中央部が下方に垂れ下がった状態で送られる。
【００４４】
したがって、集積冶具２０上に既に集積された平版印刷原版Ｐの表面をエッジ部で傷付けることがない。
【００４５】
また、シート保持具６０はコンベアベルト６２Ａ上に一定間隔で設けられているから、搬送コンベア４で平版印刷原版Ｐを投入する間隔と、コンベアベルト６２Ａの回転速度とを整合させることにより、搬送コンベア４で平版印刷原版Ｐを投入する間隔が短い場合においても、各シート保持具６０において平版印刷原版Ｐを１枚づつ受け止めることができるから、２枚以上の平版印刷原版Ｐが重なった状態で投入されて製版面が損傷することが防止される。
【００４６】
更に、平版印刷原版Ｐの投入速度が高い場合であっても、平版印刷原版Ｐの運動エネルギーはストッパ８で吸収されるから、投入された平版印刷原版Ｐは、シート送り装置６によって確実に受け止められて下方に送られる。
【００４７】
２．実施形態２
【００４８】
実施形態２に係る集積装置は、実施形態１に係る集積装置１００において、シート送り装置６に代えてシート送り装置１６を用いた形態の集積訴追である。
【００４９】
シート送り装置１６は、実施形態１に係る集積装置１００の備えるシート送り装置６と同様に平版印刷原版Ｐが下方に向かって送られるシート送り経路を挟むように１対設けられ、集積しようとする平版印刷原版Ｐのサイズに応じて間隔を変更できるように、投入方向ａに対して直交する方向に沿って設けられたリニアガイド（図示せず。）によって支持されている。シート送り装置６の間隔の変更は手動でもよく、自動でもよい。
【００５０】
シート送り装置１６は、図３および図４に示すように、垂直方向に設けられた基台１６４と、基台１６４に一定間隔で回転軸１６２を介して回動自在に設けられたシート保持具１６０とを備える。なお、左右のシート保持具１６０は、図３に示す例では同一の高さに取り付けられているが、図４に示す例では互い違いに取り付けられている。シート保持具１６０は、第１の位置では、図３および図４において実線で示すように水平であり、第２の位置では、二点鎖線で示すように回転軸１６２を中心にして下方に回動した位置をとる。
【００５１】
以下、実施形態２に係る集積装置の作用について説明する。
【００５２】
搬送コンベア４によって投入された平版印刷原版Ｐは、シート送り装置１６上を飛び越え、ストッパ８によって受け止められる。ストッパ８によって受け止められた平版印刷原版Ｐは、１対のシート送り装置１６のシート保持具１６０のうち、最上部に位置するシート保持具１６０Ａによって左右から保持される。
【００５３】
シート保持具１６０Ａは、平版印刷原版Ｐを受け止めると、図３および図４において矢印ｄで示すように回転軸１６２を中心に下方に回動して第１の位置から第２の位置に移行する。なお、図３に示す例では、左右のシート保持具１６０Ａ（１６０）は同時に化合に回動するが、図４に示す例では、図に向かって左側に位置するシート保持具１６０Ａ（１６０）が下方に回動してから右側のシート保持具１６０Ａ（１６０）が下方に回動する。このようにシート保持具１６０Ａが下方に回動して第２の位置に移行することにより、平版印刷原版Ｐは落下し、シート保持具１６０Ａの一段下方に位置するシート保持具１６０Ｂで受け止められる。
【００５４】
シート保持具１６０Ｂは、平版印刷原版Ｐを受け止めるとシート保持具１６０Ａと同様に回転軸１６２の周りに下方に回動する。
【００５５】
このように、シート保持具１６０が上方から下方に向かって順次、下方に回動することにより、平版印刷原版Ｐは集積台２に向かって下方に送られる。
【００５６】
３．実施形態３
【００５７】
実施形態３に係る集積装置は、実施形態１に係る集積装置１００において、シート送り装置６に代えてシート送り装置２６を用いた形態の集積訴追である。
【００５８】
シート送り装置２６もまた、実施形態１に係る集積装置１００の備えるシート送り装置６と同様に平版印刷原版Ｐが下方に向かって送られるシート送り経路を挟むように１対設けられ、集積しようとする平版印刷原版Ｐのサイズに応じて間隔を変更できるように、投入方向ａに対して直交する方向に沿って設けられたリニアガイド（図示せず。）によって支持されている。シート送り装置６の間隔の変更は手動でもよく、自動でもよい。
【００５９】
シート送り装置２６は、図５に示すように、垂直方向に沿って設けられた基台２６４と、基台２６４に一定の間隔で設けられたアクチュエータ２６２と、アクチュエータ２６２によって矢印ｅに示すように水平方向に押動されるプランジャ２６１と、プランジャ２６１の先端に固定されたサイドガイド２６０とを有する。サイドガイド２６０は波状の断面を有する金属薄板から形成され、アクチュエータ２６２によってプランジャ２６１が突出すると内側に向かって突出するように変形して平版印刷版原版Ｐを受け止める。そして、プランジャ２６１がアクチュエータ２６２内に引き込まれると凹陥し、言い換えれば外側に向かって突出し、受け止められた平版印刷原版Ｐが落下する。なお、サイドガイド２６０に代えて図６に示す形態の受け部材２６３をプランジャ２６１の先端に固定してもよい。受け部材２６３は、平版印刷原版Ｐの投入方向ａに沿って延在するプレート状の部材であって、相対する受け部材２６３が上方に向かって開くように配列されるようにプランジャ２６１に固定されている。受け部材２６３の下端には、投入された平版印刷原版Ｐを下方から受け止めるための爪２６３Ａが内側に向かって設けられている。
【００６０】
以下、実施形態３に係る集積装置の作用について説明する。
【００６１】
搬送コンベア４によって平版印刷原版Ｐを投入するときは、図５において（Ａ）に示すように、上方から奇数段目、即ち１段目、３段目、５段目、７段目・・・のアクチュエータ２６２Ａにおいてプランジャ２６１が突出した状態にあり、上から偶数版目、即ち１段目、３段目、５段目、７段目・・・のアクチュエータ２６２Ｂにおいてプランジャ２６１が引き込まれた状態にある。したがってサイドガイド２６０は上段から順に内側に向かって凸、凹、凸、凹、・・・の順で変形している。したがって、搬送コンベア４で投入された平版印刷原版Ｐは、サイドガイド２６０の最も上の段に位置する凸部で受け止められる。
【００６２】
平版印刷原版Ｐがサイドガイド２６０で受け止められたら、図５において（Ｂ）に示すように、上方から奇数段目、即ち１段目、３段目、５段目、７段目・・・のアクチュエータ２６２Ａにおいてプランジャ２６１が引きこめられ、上から偶数版目、即ち１段目、３段目、５段目、７段目・・・のアクチュエータ２６２Ｂにおいてプランジャ２６１が吐出する。したがってサイドガイド２６０は上段から順に内側に向かって凹、凸、凹、凸、・・・の順で変形する。したがって、平版印刷原版Ｐは、サイドガイド２６０の上から２段目のアクチュエータ２６２に対応する凸部に向かって落下する。
【００６３】
平版印刷原版Ｐがサイドガイド２６０の上から２段目のアクチュエータ２６２に対応する凸部に向かって落下したら、アクチュエータ２６２およびサイドガイド２６０は図５の（Ａ）に示す状態に戻り、次に投入される平版印刷原版Ｐを受け止める。
【００６４】
実施形態３に係る集積装置においては、平版印刷原版Ｐは、波型の断面を有するサイドガイド２６０で受け止められるから、多少投入位置がずれてもサイドガイド２６０によって損傷することがない。
【産業上の利用可能性】
【００６５】
本発明は、感光型、感熱型、およびレーザ露光型の平版印刷版の集積のほか、アルミニウムシートやステンレス鋼シート、普通鋼シート、高張力鋼板シートなどの金属シート、塗装鉄板、各種プラスチックシート、および紙類の集積に使用できる。
【図面の簡単な説明】
【００６６】
【図１】図１は、実施形態１に係る集積装置の全体的な構成を示す鳥瞰図である。
【図２】図２は、実施形態１に係る集積装置の有するシート送り装置の機能を示す説明図である。
【図３】図３は、実施形態２に係る集積装置におけるシート送り装置の構成を示す正面図である。
【図４】図４は、実施形態２に係る集積装置におけるシート送り装置の別の例について構成を示す正面図である。
【図５】図５は、実施形態３に係る集積装置におけるシート送り装置の構成を示す正面図である。
【図６】図６は、図５に示すシート送り装置にサイドガイドに代えて装着できる受け部材の構成およびその配置の概略を示す正面図である。
【符号の説明】
【００６７】
２      集積台
４      搬送コンベア
６      シート送り装置
８      ストッパ
１０      ガイド板
１２      リフタ
１６      シート送り装置
２０      集積冶具
２６      シート送り装置
６０      シート保持具
６０Ａ    シート保持具
６０Ｂ    シート保持具
６２      保持具送りコンベア
６２Ａ    コンベアベルト
６２Ｂ    駆動ローラ
８０      パッド部
８２      緩衝バネ
８４      ダンパ
１００      集積装置
１６０      シート保持具
１６０Ａ    シート保持具
１６０Ｂ    シート保持具
１６２      回転軸
１６４      基台
２６０      サイドガイド
２６１      プランジャ
２６２      アクチュエータ
２６２Ａ    アクチュエータ
２６２Ｂ    アクチュエータ
２６３      受け部材
２６３Ａ    爪
２６４      基台
【図１】
2008037598.tif 000003
【図２】
2008037598.tif 000004
【図３】
2008037598.tif 000005
【図４】
2008037598.tif 000006
【図５】
2008037598.tif 000007
【図６】
2008037598.tif 000008